(57)【要約】【課題】本発明は各種音響機器および情報通信機器に使用されるコード付きスピーカに関するものであり、コード長さ不安定による導通不良が課題あった。【解決手段】本発明のスピーカは、コード付きスピーカでコードの終端突き当てをフレーム上に構成したもので、フレーム上の終端突き当て形状によりコード長さが安定し、セット内のコード結合部にもう一方のコード終端が確実に到達するので導通不良を防止することができるものである。【選択図】  図１
2004350175.tif 000002
【特許請求の範囲】
【請求項１】
フレームと、このフレームの外周部に結合された振動板と、この振動板に結合された振動部品と、この振動部品から引き出されたリード線と、このリード線にターミナルを介して結合されたコードとからなるコード付きスピーカであって、前記フレームに突起を構成し、この突起に前記コードの終端部を突き当てて構成したコード付きスピーカ。
【請求項２】
突起の形状を角柱状とした請求項１記載のコード付きスピーカ。
【請求項３】
突起の一部に凹みを設けた請求項２記載のコード付きスピーカ。
【請求項４】
コードのスピーカを結合した側と反対側にコネクタを附加した請求項１から請求項３記載のいずれか１つのコード付きスピーカ。
【発明の詳細な説明】
【０００１】
【発明の属する技術分野】
本発明は各種音響機器および情報通信機器に使用されるコード付きスピーカに関するものである。
【０００２】
【従来の技術】
従来のスピーカについて図４により説明する。
【０００３】
図４（ａ）は従来のスピーカのヨーク４の面から見た背面図を示したもの、また図４（ｂ）は側面半断面図を示したものであり、携帯電話用のダイナミックスピーカを示している。
【０００４】
図４（ａ）および（ｂ）に示すように、有底形状を有するヨーク４にマグネット１２とプレート１１とを結合して構成された磁気回路の磁気ギャップ１３にボイスコイル１を挿入し、このボイスコイル１に振動板２を結合し、この振動板２の周縁部をフレーム３に結合している。そして、このボイスコイル１を駆動させるための電流供給用のコード５を、フレーム３に設けられたターミナル６に半田付け部７により結合して構成している。
【０００５】
なお、この出願の発明に関する先行技術文献情報としては、例えば、特許文献１が知られている。
【０００６】
【特許文献１】
特開２００２−３５４５８５号公報
【０００７】
【発明が解決しようとする課題】
上述のスピーカは、コード５の始端５ａを取り付け治具により半田付けするため治具寸法バラツキによりコード長さが不安定となる。また、コード５を目測で取り付ける場合はさらに不安定となる。
【０００８】
このようなコード付きスピーカは携帯電話のセットに実装し電気結合を得るためにそのコード５の終端５ｂをセット内のプリント基板上に形成された半田ランドに半田付けする際、コード長が短いと半田ランドに届かず電気結合が得られなくなり、スピーカの機能を果たせなくなる。またコード長が長いと半田ランドに半田する際に発生するコード余線がセット実装時に噛み込みで断線するという問題を抱えるものであった。
【０００９】
本発明は、上記課題を解決するものでコード長さの安定化を図り、確実な電気結合を得ることができる優れたスピーカを提供するものである。
【００１０】
【課題を解決するための手段】
上記課題を解決するために、本発明は以下の構成を有する。
【００１１】
本発明の請求項１および請求項２に記載の発明は、有底形状を有するヨークにマグネットとプレートを結合して構成された磁気回路の磁気ギャップに嵌まり込んだボイスコイルと、このボイスコイルから引き出されたリード線と、このリード線にターミナルを介して結合されたコードとからなるコード付きスピーカである。
【００１２】
そして、前記フレームに前記コード終端部の突き当てとして突起を設けて構成している。
【００１３】
この構成により、コード長さの安定化を図ることができる。よって携帯電話のセット内部に電気結合を得るために設けたプリント基板上の半田ランドにコードのもう一方の終端が確実に到達するので、電気的結合不備を避けることができる。
【００１４】
この構成により、セットとの電気的結合において、導通不良の無い品質的に安定したコード付きスピーカを提供することができる。
【００１５】
本発明の請求項３に記載の発明は、コードの突き当てとして設ける突起の一部をコード先端を保持できるように凹み状に形成したものである。
【００１６】
この構成により、コードのターミナル上での位置振れを減少させることができる。また、ターミナルとコードがコード長手方向での中心位置が重なり合うように配置され半田付けを実施することでコード終端が確実にターミナルに結合されるので、導通不良対策として効果的である。
【００１７】
本発明の請求項４に記載の発明は、コードのスピーカを結合した側と反対側に電子機器と結合するためのコネクタを附加して構成したものである。
【００１８】
この構成により、携帯電話内部へのスピーカのコードの結合が、セット内部のプリント基板側に予め設けたコネクタ受け部品に半田付け等に依らない簡易な圧接方式で安定して実施することができるため、導通をより確実なものとすることができる。
【００１９】
【発明の実施の形態】
以下、本発明の一実施の形態について図面を用いて説明する。なお、各実施の形態の説明については、実施の形態１と同様のものはその説明を省略しながら説明する。
【００２０】
（実施の形態１）
以下、実施の形態１を用いて、本発明の特に請求項１および請求項２に記載の発明について説明する。
【００２１】
図１は、本発明の一実施の形態のスピーカを示したものである。
【００２２】
図１（ａ）は本発明の一実施の形態のスピーカのヨーク４の面から見た背面図を示したもの、また図１（ｂ）は本発明のスピーカの側面半断面図を示したものである。
【００２３】
図１（ａ）および（ｂ）によると、有底形状を有するヨーク２４にマグネット３２とプレート３１を結合して構成された磁気回路の磁気ギャップ３３に嵌まり込んだボイスコイル２１に振動板２２を結合し、この振動板２２の周縁部をフレーム２３に結合している。そして、このボイスコイル２１を駆動させるための電流供給用のコード２５を、フレーム２３上に形成された角柱状突起２８にコード２５の終端２５ａを突き当てて配置し、さらにフレーム２３に設けられたボイスコイル２１のリード線に結合されたターミナル２６に半田付け部２７により結合して構成している。
【００２４】
なお、この角柱状突起２８は必ずしも角柱状でなくても、フレーム２３の面より突出する部位を有する形状であれば効果が期待できる。
【００２５】
この構成により、コード２５の長さの安定化を図ることができる。よって携帯電話のセット内部に電気結合を得るために設けたプリント基板上の半田ランドにコード２５のもう一方の終端２５ｂが確実に到達するので、電気的結合不備を避けることができる。
【００２６】
これにより、セットとの電気的結合において導通不良の無い品質的に安定したコード付きスピーカを提供することができる。
【００２７】
（実施の形態２）
以下、実施の形態２を用いて、本発明の特に請求項３に記載の発明について説明する。
【００２８】
図２（ａ）は本発明の一実施の形態のスピーカのヨーク２４の面から見た背面図を示したもの、また図２（ｂ）は本発明のスピーカの側面半断面図を示したものである。
【００２９】
実施の形態１と異なる点は、コード２５の終端２５ａの突き当て形状として凹み形状を形成した突起２９を設けている点である。
【００３０】
この場合、コード２５の終端２５ａを確実にターミナル２６上に配置させることができる。
【００３１】
この構成により、コード２５のターミナル２６上での位置振れを減少させることができる。また、ターミナル２６とコード２５がコード長手方向での中心位置が重なり合うように配置され、半田付けを実施することでコード２５の終端２５ａが確実にターミナル２６に結合されるので、導通不良対策として効果的である。
【００３２】
詳細説明については、前記同様であるため省略する。
【００３３】
（実施の形態３）
以下、実施の形態３を用いて、本発明の特に請求項４に記載の発明について説明する。
【００３４】
図３（ａ）は本発明の一実施形態のスピーカのヨーク２４の面から見た背面図を示したもの、また図３（ｂ）は本発明のスピーカの側面半断面図を示したものである。
【００３５】
実施の形態１および２と異なる点は、請求項４はコード２５のスピーカを結合した側と反対側の終端に電子機器と結合するためのコネクタ３０を附加して構成したものである。
【００３６】
この構成により、携帯電話内部へのスピーカのコード２５の終端の結合が、セット内部のプリント基板側に予め設けたコネクタ受け部品に半田付け等に依らない簡易なコネクタ３０の圧接方式で安定して実施することができるため、導通がより確実なものとなる。
【００３７】
詳細説明については、前記同様であるため省略する。
【００３８】
【発明の効果】
以上のように、本発明はコード付きスピーカにおけるコードの終端突き当てをフレーム上に構成したものである。
【００３９】
以上の構成により、当該コード付きスピーカは携帯電話のセットに実装し電気結合を得るためにそのコードの終端をセット内のプリント基板上に形成された半田ランドに半田付けする際、コード長さが安定し半田ランドにコード終端が確実に到達し、電気結合を確保してスピーカを機能させることができる。
【００４０】
これにより、導通不良の無いコード付きスピーカを提供することができる。
【００４１】
よって本発明は品質的に安定した優れたコード付きスピーカを提供することができ、その工業的価値は非常に大なるものである。
【図面の簡単な説明】
【図１】本発明の一実施の形態におけるスピーカの背面図と側面半断面図
【図２】本発明の一実施の形態におけるスピーカの背面図と側面半断面図
【図３】本発明の一実施の形態におけるスピーカの背面図と側面半断面図
【図４】従来のスピーカの背面図と側面半断面図
【符号の説明】
２１  ボイスコイル
２２  振動板
２３  フレーム
２４  ヨーク
２５  コード
２５ａ  コード終端
２５ｂ  コード終端
２６  ターミナル
２７  半田付け部
２８  角柱状突起
２９  凹み形状を形成した突起
３０  コネクタ
３１  プレート
３２  マグネット
３３  磁気ギャップ
【図１】
2004350175.tif 000003
【図２】
2004350175.tif 000004
【図３】
2004350175.tif 000005
【図４】
2004350175.tif 000006